(57)【要約】  送信機が提供される。送信機は少なくとも２つのバス・ラインを備えるバス・システムを含む。更に、送信機は少なくとも２つのバス・ラインに結合される包絡線追跡回路と、複数の電力増幅器とを含む。複数の電力増幅器のうちの少なくとも第１のものは、アクティブ状態にある間に、増幅のために複数の電力増幅器のうちの第１のものにより受信された第１無線周波数信号に関連する第１ベースバンド信号の包絡線に基づくものである電源電圧又はバイアス信号が包絡線追跡回路により供給される少なくとも２つのバス・ラインのうちの１つに、入力を選択的に結合するように構成されている。（図１）
2021525461.tif 000002
【特許請求の範囲】
【請求項１】
送信機であって：
少なくとも２つのバス・ラインを備えるバス・システム；
前記少なくとも２つのバス・ラインに結合される包絡線追跡回路；及び
複数の電力増幅器；
を備え、前記複数の電力増幅器のうちの少なくとも第１のものは、アクティブ状態にある間に、前記複数の電力増幅器のうちの前記第１のものにより受信された第１無線周波数信号に関連する第１ベースバンド信号の包絡線に基づくものである電源電圧又はバイアス信号が前記包絡線追跡回路により供給される前記少なくとも２つのバス・ラインのうちの１つに、入力を選択的に結合するように構成されている、送信機。
【請求項２】
前記複数の電力増幅器のうちの前記第１のものは、前記複数の電力増幅器のうちの前記第１のものがインアクティブ状態にある場合に、前記少なくとも２つのバス・ラインから入力を分離するように構成されている、請求項１に記載の送信機。
【請求項３】
前記複数の電力増幅器のうちの前記第１のものはスイッチ回路を備え、前記スイッチ回路は、前記複数の電力増幅器のうちの前記第１のものが前記アクティブ状態にある場合には、前記少なくとも２つのバス・ラインのうちの１つに前記入力を結合し、前記複数の電力増幅器のうちの前記第１のものが前記インアクティブ状態にある場合には、前記少なくとも２つのバス・ラインのうちの１つに、前記複数の電力増幅器のうちの前記第１のものの高インピーダンス端子を結合するように構成されている、請求項２に記載の送信機。
【請求項４】
前記スイッチ回路は、前記少なくとも２つのバス・ラインのうちの１つに関する情報を受信するように構成されている、請求項３に記載の送信機。
【請求項５】
前記包絡線追跡回路と前記少なくとも２つのバス・ラインの各々との間にフィルタが結合されている、請求項１に記載の送信機。
【請求項６】
前記包絡線追跡回路は：
複数の所定の電源電圧を生成するように構成されたＤＣ−ＤＣ変換回路；
前記第１ベースバンド信号の包絡線に基づいて、前記複数の電源電圧のうちの第１のものを選択し、前記複数の電源電圧のうちの選択された前記第１のものを、前記少なくとも２つのバス・ラインのうちの１つに供給するように構成された第１選択回路；及び
増幅のために前記複数の電力増幅器のうちの第２のものにより受信された第２無線周波数信号に関連する第２ベースバンド信号の包絡線に基づいて、前記複数の電源電圧のうちの第２のものを選択し、前記複数の電源電圧のうちの選択された前記第２のものを、前記少なくとも２つのバス・ラインのうちの他のものに供給するように構成された第２選択回路；
を備える、請求項１に記載の送信機。
【請求項７】
前記包絡線追跡回路は：
前記第１ベースバンド信号の包絡線に基づいて第１バイアス信号を生成し、前記第１バイアス信号を、前記少なくとも２つのバス・ラインのうちの１つに供給するように構成された第１デジタル・アナログ変換器；及び
増幅のために前記複数の電力増幅器のうちの第２のものにより受信された第２無線周波数信号に関連する第２ベースバンド信号の包絡線に基づいて、第２バイアス信号を生成し、前記第２バイアス信号を、前記少なくとも２つのバス・ラインのうちの別のものに供給するように構成された第２デジタル・アナログ変換器；
を備える請求項１に記載の送信機。
【請求項８】
前記複数の電力増幅器のうちの少なくとも２つの電力増幅器は、同時にアクティブ状態にある、請求項１〜７のうちの何れか１項に記載の送信機。
【請求項９】
前記バス・システムは３つ以上のバス・ラインを含む、請求項１〜８のうちの何れか１項に記載の送信機。
【請求項１０】
バス・ラインの数は、前記複数の電力増幅器の数より少ない、請求項１〜９のうちの何れか１項に記載の送信機。
【請求項１１】
バス・ラインの数は、アクティブ状態で同時に動作する電力増幅器の最大サポート数に等しい、請求項１〜１０のうちの何れか１項に記載の送信機。
【請求項１２】
送信機であって：
少なくとも第１バス・ラインと第２バス・ラインとを備えるバス・システム；
第１電源電圧及び第１バイアス信号のうちの１つを前記第１バス・ラインに、第２電源電圧及び第２バイアス信号のうちの１つを前記第２バス・ラインに同時に供給するように構成された包絡線追跡回路；及び
複数の電力増幅器；
を備え、前記複数の電力増幅器のうちの第１電力増幅器が、増幅のための第１無線周波数信号を受信した場合に、前記第１電力増幅器は：
前記第１電源電圧及び前記第１バイアス信号のうちの１つが、前記第１無線周波数信号に関連する第１ベースバンド信号の包絡線に基づいている場合に、入力を前記第１バス・ラインに選択的に結合し；及び
前記第２電源電圧及び前記第２バイアス信号のうちの１つが、前記第１ベースバンド信号の包絡線に基づいている場合に、入力を前記第２バス・ラインに選択的に結合する；
ように構成されている、送信機。
【請求項１３】
前記複数の電力増幅器のうちの第２電力増幅器が、増幅のための第２無線周波数信号を受信した場合に、前記第２電力増幅器は：
前記第１電源電圧及び前記第１バイアス信号のうちの１つが、前記第２無線周波数信号に関連する第２ベースバンド信号の包絡線に基づいている場合に、入力を前記第１バス・ラインに選択的に結合し；及び
前記第２電源電圧及び前記第２バイアス信号のうちの１つが、前記第２ベースバンド信号の包絡線に基づいている場合に、入力を前記第２バス・ラインに選択的に結合する；
ように構成されている、請求項１２に記載の送信機。
【請求項１４】
前記包絡線追跡回路は：
複数の所定の電源電圧を生成するように構成されたＤＣ−ＤＣ変換回路；
前記第１ベースバンド信号の包絡線、及び前記第２ベースバンド信号の包絡線のうちの一方に基づいて、前記複数の電源電圧のうちの１つを第１電源電圧として選択するように構成された第１選択回路；及び
前記第１ベースバンド信号の包絡線、及び前記第２ベースバンド信号の包絡線のうちの他方に基づいて、前記複数の電源電圧のうちの１つを第２電源電圧として選択するように構成された第２選択回路；
を備える、請求項１３に記載の送信機。
【請求項１５】
前記包絡線追跡回路は：
前記第１ベースバンド信号の包絡線、及び前記第２ベースバンド信号の包絡線のうちの一方に基づいて第１バイアス信号を生成するように構成された第１デジタル・アナログ変換器；及び
前記第１ベースバンド信号の包絡線、及び前記第２ベースバンド信号の包絡線のうちの他方に基づいて第２バイアス信号を生成するように構成された第２デジタル・アナログ変換器；
を備える、請求項１３に記載の送信機。
【請求項１６】
前記第１電力増幅器及び前記第２電力増幅器はそれぞれ前記第１無線周波数信号及び前記第２無線周波数信号を同時に受信するように構成されている、請求項１３〜１５のうちの何れか１項に記載の送信機。
【請求項１７】
前記第１電力増幅器が前記第１無線周波数信号を受信しない場合に、前記第１電力増幅器はその入力を前記バス・ラインから分離するように構成されている、請求項１２〜１６のうちの何れか１項に記載の送信機。
【請求項１８】
前記第１電力増幅器が前記第１無線周波数信号を受信しない場合に、前記第１電力増幅器は、高インピーダンス端子を前記バス・ラインのうちの１つに結合するように構成されている、請求項１２〜１７のうちの何れか１項に記載の送信機。
【請求項１９】
前記包絡線追跡回路と前記第１バス・ラインとの間に第１フィルタが結合され、前記包絡線追跡回路と前記第２バス・ラインとの間に第２フィルタが結合されている、請求項１２〜１８のうちの何れか１項に記載の送信機。
【請求項２０】
前記バス・システムは第３バス・ラインを備え、前記包絡線追跡回路は、第３電源電圧及び第３バイアス信号のうちの１つを前記第３バス・ラインに同時に供給するように構成され、前記複数の電力増幅器のうちの第３電力増幅器が、増幅のための第３無線周波数信号を受信した場合に、前記第３電力増幅器は：
前記第１電源電圧及び前記第１バイアス信号のうちの１つが、前記第３無線周波数信号に関連する第３ベースバンド信号の包絡線に基づいている場合に、入力を前記第１バス・ラインに選択的に結合し；
前記第２電源電圧及び前記第２バイアス信号のうちの１つが、前記第３ベースバンド信号の包絡線に基づいている場合に、入力を前記第２バス・ラインに選択的に結合し；及び
前記第３電源電圧及び前記第３バイアス信号のうちの１つが、前記第３ベースバンド信号の包絡線に基づいている場合に、入力を前記第３バス・ラインに選択的に結合する；
ように構成されている、請求項１２〜１９のうちの何れか１項に記載の送信機。
【請求項２１】
送信機の作動方法であって：
前記送信機は、少なくとも２つのバス・ラインを備えるバス・システムと、前記少なくとも２つのバス・ラインに結合される包絡線追跡回路と、複数の電力増幅器とを備え、前記作動方法は：
前記複数の電力増幅器のうちの少なくとも第１のものに関し、アクティブ状態において、増幅のために前記複数の電力増幅器のうちの前記第１のものにより受信された第１無線周波数信号に関連する第１ベースバンド信号の包絡線に基づくものである電源電圧又はバイアス信号が前記包絡線追跡回路により供給される前記少なくとも２つのバス・ラインのうちの１つに、入力を選択的に結合するステップを含む、方法。
【請求項２２】
前記複数の電力増幅器のうちの第１のものがインアクティブ状態にある場合に、前記少なくとも２つのバス・ラインから入力を分離するステップを更に含む請求項２１に記載の方法。
【請求項２３】
前記複数の電力増幅器のうちの第１のものがインアクティブ状態にある場合に、前記複数の電力増幅器のうちの第１のものの高インピーダンス端子を、前記少なくとも２つのバス・ラインのうちの１つに結合するステップを更に含む請求項２１又は２２に記載の方法。
【請求項２４】
送信機の作動方法であって：
前記送信機は、包絡線追跡回路と、複数の電力増幅器と、少なくとも第１バス・ラインと第２バス・ラインとを含むバス・システムとを備え、前記作動方法は：
前記包絡線追跡回路を利用して、第１電源電圧及び第１バイアス信号のうちの１つを前記第１バス・ラインに、第２電源電圧及び第２バイアス信号のうちの１つを前記第２バス・ラインに同時に供給するステップ；
前記複数の電力増幅器のうちの第１電力増幅器が、増幅のための第１無線周波数信号を受信した場合に：
前記第１電源電圧及び前記第１バイアス信号のうちの１つが、前記第１無線周波数信号に関連する第１ベースバンド信号の包絡線に基づいている場合に、前記第１電力増幅器の入力を前記第１バス・ラインに選択的に結合し；及び
前記第２電源電圧及び前記第２バイアス信号のうちの１つが、前記第１ベースバンド信号の包絡線に基づいている場合に、前記第１電力増幅器の入力を前記第２バス・ラインに選択的に結合するステップ；
を含む方法。
【請求項２５】
前記複数の電力増幅器のうちの第２電力増幅器が、増幅のための第２無線周波数信号を受信した場合に、本方法は：
前記第１電源電圧及び前記第１バイアス信号のうちの１つが、前記第２無線周波数信号に関連する第２ベースバンド信号の包絡線に基づいている場合に、前記第２電力増幅器の入力を前記第１バス・ラインに選択的に結合するステップ；及び
前記第２電源電圧及び前記第２バイアス信号のうちの１つが、前記第２ベースバンド信号の包絡線に基づいている場合に、前記第２電力増幅器の入力を前記第２バス・ラインに選択的に結合するステップ；
を更に含む請求項２４に記載の方法。
【発明の詳細な説明】
【技術分野】
【０００１】
本開示は送信機内の電力供給及びバイアス分配に関する。特に、実施例はＥＴを使用する送信機及び送信機を作動させる方法に関する。
【背景技術】
【０００２】
移動通信において結び付けられるべき周波数帯域の数は新しい世代ごとに増加している。従って、アクティブ電力増幅器（ＰＡ）コアの数は増加している。更に、新しい無線アクセス技術（ＲＡＴ）が出現しつつあり、既存のＲＡＴと協働しなければならない。これはキャリア・アグリゲーション・シナリオの数を更に増加させる。各アクティブ・コアに包絡線追跡信号を供給することは課題となる。
【０００３】
従来のアーキテクチャは、ハードウェアの中身の大幅な増加によってしか、キャリア・アグリゲーション・シナリオの増加数をサポートすることができず、モバイル・アプリケーション内での面積の限界にぶつかってしまう。
【０００４】
従って、改良された信号配分アーキテクチャに対する要望が存在する可能性がある。
【図面の簡単な説明】
【０００５】
装置及び／又は方法の幾つかの例は、単なる例示として、添付の図面を参照しながら以下に説明される。
【図１】第１実施例の送信機を示す。
【図２】第２実施例の送信機を示す。
【図３】第３実施例の送信機を示す。
【図４】送信機を含むモバイル・デバイスの例を示す。
【図５】送信機の作動方法のフローチャート例を示す。
【図６】送信機の別の作動方法のフローチャート例を示す。
【発明を実施するための形態】
【０００６】
以下、幾つかの具体例が示される添付の図面を参照して、種々の実施例がより完全に説明される。図中、線、層及び／又は領域の厚さは、明瞭にするために誇張されているかもしれない。
【０００７】
従って、更なる実施例は種々の変形及び代替の形態を可能とするが、それらの幾つかの特定の実施例が図面に示され、次いで詳細に説明される。しかしながら、この詳細な説明は、更なる実施例を、記載された特定の形態に限定するものではない。更なる実施例は、本開示の範囲内にある全ての修正、均等物、及び代替物をカバーすることが可能である。同様の数字は、図面の説明全体を通して、同一又は類似の要素を指し、それらは、同一又は類似の機能性を提供しつつ、互いに比較される場合に同一又は修正された形式で実装される可能性がある。
【０００８】
ある要素が別の要素に「接続されている」又は「結合されている」と言及される場合、その要素は、直接的に接続されているか、又は１つ以上の介在する要素を介して結合されていてもよいことが理解されるであろう。２つの要素Ａ及びＢが「又は」を用いて結合される場合、これは、全ての可能な組み合わせ、即ち、Ａのみ、Ｂのみ、並びにＡ及びＢを明らかにしていると理解されるべきである。同じ組み合わせに関する代替的な言葉は「Ａ及びＢのうちの少なくとも１つ」である。同じことが２つより多い要素の組み合わせに適用される。
【０００９】
特定の実施例を記載する目的で本明細書中で使用される用語は、更なる実施例を限定するようには意図されていない。「ある」（“ａ”，“ａｎ”）及び「その」（“ｔｈｅ”）のような単独の形式が使用される場合は常に、単一の要素のみを使用することは、明示的にも暗黙的にも必須であると定めてはおらず、別の例はまた、同じ機能を実施するために複数の要素を使用する可能性がある。同様に、機能性が複数の要素を使用して実施されるものとして以後に説明される場合に、別の例は、単一の要素又は処理エンティティを使用して同じ機能を実施する可能性がある。用語「備える」、「備えている」、「含む」及び／又は「含んでいる」という用語は、それらが使用される場合には、記載された特徴、整数、ステップ、オペレーション、プロセス、動作、要素及び／又は構成要素の存在を指定するが、１つ以上の他の特徴、整数、ステップ、オペレーション、プロセス、動作、要素、構成要素、及び／又はそれらの任意のグループの存在又は追加を排除しないことが更に理解されるであろう。
【００１０】
別段の定めがない限り、全ての用語（技術用語及び科学用語を含む）は、本明細書において、それらの例が属する技術分野の通常の意味において使用される。
【００１１】
提案された技術又は説明される１つ以上の実施例による信号配分又は送信機を使用する以下の無線通信回路又は、第３世代パートナーシップ・プロジェクト（３ＧＰＰ）で標準化された移動通信ネットワーク又はシステムのうちの１つに従って動作するように構成される可能性がある。モバイル又はワイヤレス通信システムは、例えば、第５世代ニュー・ラジオ（５Ｇ  ＮＲ）、ロング・ターム・エボリューション（ＬＴＥ）、ＬＴＥアドバンスト（ＬＴＥ−Ａ）、高速パケット・アクセス（ＨＳＰＡ）、ユニバーサル・モバイル通信システム（ＵＭＴＳ）又はＵＭＴＳ地上無線アクセス・ネットワーク（ＵＴＲＡＮ）、エボルブドＵＴＲＡＮ（ｅ−ＵＴＲＡＮ）、移動通信のためのグローバル・システム（ＧＳＭ（登録商標））、ＧＳＭエボリューションのためのエンハンスト・データ・レート（ＥＤＧＥ）ネットワーク、又はＧＳＭ／ＥＤＧＥ無線アクセス・ネットワーク（ＧＥＲＡＮ）に対応する可能性がある。あるいは、無線通信回路は、様々な規格の移動通信ネットワーク、例えば、マイクロ波アクセス（ＷＩＭＡＸ）ネットワークＩＥＥＥ８０２．１６又は無線ローカル・エリア・ネットワーク（ＷＬＡＮ）ＩＥＥＥ８０２．１１、一般的な直交周波数分割多重アクセス（ＯＦＤＭＡ）ネットワーク、時分割多重アクセス（ＴＤＭＡ）ネットワーク、符号分割多重アクセス（ＣＤＭＡ）ネットワーク、ワイドバンドＣＤＭＡ（ＷＣＤＭＡ（登録商標））ネットワーク、周波数分割多重アクセス（ＦＤＭＡ）ネットワーク、空間分割多重アクセス（ＳＤＭＡ）ネットワークなどに従って動作するように構成される可能性がある。
【００１２】
図１は送信機１００を示す。送信機１００は複数のＰＡ１３０−１、１３０−２、．．．、１３０−ｎを備える。１０個のＰＡが図１に示されているが、送信機１００は任意の複数のＰＡ（即ち、少なくとも２個のＰＡ）を含む可能性があることに留意されたい。アクティブ状態において、複数のＰＡ１３０−１、１３０−２、．．．、１３０−ｎの各々は、入力無線周波数（ＲＦ）信号を増幅するように構成されている。ＰＡのための供給電圧が、増幅のためのＲＦ信号の包絡線に従う場合、ＰＡは所与の瞬間的な出力電力要求に対して最適な効率で動作する。従って、送信機１００は包絡線追跡（Ｅｎｖｅｌｏｐｅ  Ｔｒａｃｋｉｎｇ：ＥＴ）回路１２０を備える。ＥＴ回路１２０は、複数のＰＡ１３０−１、１３０−２、．．．、１３０−ｎのうちの少なくとも幾つか（一部）に対して（個々の）電源電圧を生成する。
【００１３】
更に、送信機１００は、少なくとも第１バス・ライン（供給ライン、信号ライン）１１１及び第２バス・ライン（供給ライン、信号ライン）１１２、即ち少なくとも２つのバス・ラインを含むバス・システム１１０を備える。ＥＴ回路１２０は、少なくとも２つのバス・ライン（供給ライン、信号ライン）１１１、１１２に結合される。
【００１４】
第１（供給）フィルタ１４１はＥＴ回路１２０と第１バス・ライン１１１との間に結合され、第２（供給）フィルタ１４２はＥＴ回路１２０と第２のバス・ライン１１２との間に結合される。即ち、ＥＴ回路１２０と少なくとも２つのバス・ライン１１１、１１２の各々との間にそれぞれのフィルタが結合される。
【００１５】
ＥＴ回路１２０は、第１電源電圧を第１バス・ライン１１１に、第２電源電圧を第２バス・ライン１１２に同時に供給するように構成されている。
【００１６】
複数のＰＡ  １３０−１、１３０−２、．．．、１３０−ｎのうちの第１ＰＡ１３０−１が増幅のための第１ＲＦ信号を受信する場合において、第１電源電圧が第１ＲＦ信号に関連する第１ベースバンド信号の包絡線に基づいている場合、第１ＰＡ１３０−１は、その（電源）入力１５１を第１バス・ライン１１１に選択的に結合するように構成されている。第２電源電圧が第１ベースバンド信号の包絡線に基づいている場合、第１ＰＡ１３０−１は、その入力１５１を第２バス・ライン１１２に選択的に結合するように構成されている。
【００１７】
換言すれば、複数のＰＡ１３０−１、１３０−２、．．．、１３０−ｎのうちの少なくとも第１ＰＡ１３０−１は、アクティブ状態にある間に、第１ベースバンド信号の包絡線に基づくものである、即ち増幅のために第１ＰＡ１３０−１によって受信されたＲＦ信号に関連するベースバンド信号の包絡線に基づくものである電源電圧がＥＴ回路１２０によって供給される少なくとも２つのバス・ライン１１１、１１２のうちの１つに、ＰＡの入力１５１を選択的に結合するように構成されている。
【００１８】
複数のＰＡのうちの第２ＰＡ１３０−２が増幅のために第２ＲＦ信号を受信する場合において、第１電源電圧が第２ＲＦ信号に関連する第２ベースバンド信号の包絡線に基づいている場合、第２ＰＡ１３０−２は、その（電源）入力１６１を第１バス・ライン１１１に選択的に結合するように構成されている。第２電源電圧が第２ベースバンド信号の包絡線に基づいている場合、第２ＰＡ１３０−２は、その入力１６１を第２バス・ライン１１２に選択的に結合するように構成されている。
【００１９】
同様に、複数のＰＡ１３０−１、１３０−２、．．．、１３０−ｎのうちの別のものが、増幅のために各自のＲＦ信号を受信する場合において、第１電源電圧が、ＰＡによって受信されるそれぞれのＲＦ信号に関連するベースバンド信号の包絡線に基づいている場合、その別のＰＡは、第１バス・ライン１１１にその入力（電源）を選択的に結合するように構成されている。第２電源電圧がこのベースバンド信号の包絡線に基づいている場合、別のＰＡは、その入力を第２バス・ライン１１２に選択的に結合するように構成されている。
【００２０】
換言すれば、複数のＰＡ１３０−１、１３０−２、．．．、１３０−ｎの各々は、アクティブ状態にある間に、増幅のために複数のＰＡ１３０−１、１３０−２、．．．、１３０−ｎのそれぞれによって受信されるＲＦ信号に関連するベースバンド信号の包絡線に基づくものである電源電圧がＥＴ回路１２０によって供給される少なくとも２つのバス・ライン１１１、１１２のうちの１つに、その入力（電源）を結合するように構成される可能性がある。
【００２１】
複数のＰＡ１３０−１、１３０−２、．．．、１３０−ｎの個々のＰＡは、従って、バス・システム１１０に柔軟な方法で選択的に接続される可能性がある。従って、複数のＰＡ１３０−１、１３０−２、．．．、１３０−ｎのうちの複数のペアが、アクティブ状態で同時に作動する可能性があり、増幅のための各自のＲＦ信号の包絡線に基づく各自の電源電圧を提供される可能性がある。図１の例では、バス・システム１１０は少なくとも２つのバス・ライン１１１、１１２を備え、そのため、複数のＰＡ１３０−１、１３０−２、．．．、１３０−ｎのうちの少なくとも２つのＰＡが同時にアクティブ状態である可能性がある。例えば、第１ＰＡ１３０−１及び第２ＰＡ１３０−２はそれぞれ第１ＲＦ信号及び第２ＲＦ信号を同時に受信するように構成されていてもよい。しかしながら、複数のＰＡ１３０−１、１３０−２、．．．、１３０−ｎのうちの他の任意のペアが、同時にアクティブ状態（即ち、入力ＲＦ信号を増幅する状態）にあってもよい。
【００２２】
複数のＰＡ１３０−１、１３０−２、．．．、１３０−ｎをバス・システム１１０のバス・ライン１１０に選択的に結合することに起因して、バス・ラインの数は、複数のＰＡ１３０−１、１３０−２、．．．、１３０−ｎの数よりも少なく選択されてよい。従って、バス・システム１１０を介するアクティブＰＡのＥＴ回路１２０への結合は、エリア効果的である。バス・ラインの数は、例えばアクティブ状態で同時に動作するＰＡの最大サポート数に等しくてもよい。アクティブ状態では、複数のＰＡ１３０−１、１３０−２、．．．、１３０−ｎの各ＰＡは、バス・システム１１０のバス・ラインに選択的に結合される可能性があるので、バス・ラインの数は、アクティブ状態で同時に動作するＰＡの最大サポート数と同程度に少なくてよい。
【００２３】
第１ＰＡ１３０−１は、第１ＰＡ１３０−１が増幅のための第１ＲＦ信号を受信しない場合、即ち、第１ＰＡ１３０−１がインアクティブ状態にある場合、少なくとも２つのバス・ライン１１１、１１２からその入力１５１を切り離すように更に構成されている。
【００２４】
更に、第１ＰＡ１３０−１が増幅のための第１ＲＦ信号を受信しない場合、第１ＰＡ１３０−１は、その高インピーダンス端子１５２を、少なくとも２つのバス・ライン１１１、１１２のうちの１つに結合するように構成されていてもよい。高インピーダンス端子は、任意の結合されたデバイス又はエレメントに高インピーダンスを与えるように構成される。例えば、複数のＰＡ１３０−１、１３０−２、．．．、１３０−ｎのうちの第１ＰＡ１３０−１は、複数のＰＡ１３０−１、１３０−２、．．．、１３０−ｎのうちの第１ＰＡ１３０−１がアクティブ状態にある場合に、少なくとも２つのバス・ライン１１１、１１２のうちの１つに入力１５１を結合するように構成されたスイッチ回路１５０を含んでもよい。複数のＰＡ１３０−１、１３０−２、．．．、１３０−ｎのうちの第１のＰＡ１３０−１がインアクティブ状態にある場合、第１ＰＡ１３０−１は、その高インピーダンス端子１５２を、少なくとも２つのバス・ライン１１１、１１２のうちの１つに結合することができる。
【００２５】
同様に、複数のＰＡ１３０−１、１３０−２、．．．、１３０−ｎのうちの他のＰＡは、各自のＰＡの入力を、少なくとも２つのバス・ライン１１１、１１２のうちの１つに結合又は分離するように、又はインアクティブ状態において、各自のＰＡの高インピーダンス端子を、少なくとも２つのバス・ライン１１１、１１２のうちの１つに結合するように構成された個々のスイッチ回路を含んでもよい。
【００２６】
換言すれば、各ＰＡコアは、バス１１０から適切な電源電圧を選択することが可能なセレクタ・スイッチを備えることが可能であり、ＰＡコアがオフである場合には、バス１１０に高い抵抗（即ち、「ｈｉｇｈ  Ｚ」）を提供する。
【００２７】
例えば、スイッチ回路１５０は、第１ベースバンド信号の包絡線に基づくものである電源電圧がＥＴ回路１２０によって供給される少なくとも２つのバス・ライン１１１、１１２のうちの１つ、に関する情報を受信するように構成されてもよい。一例では、ＥＴ回路１２０によって提供される電源電圧は、増幅のために第１ＰＡ１３０−１によって受信されるＲＦ信号に関連するベースバンド信号の包絡線に基づく可能性がある。複数のＰＡ１３０−１、１３０−２、・・・、１３０−ｎの各自のＰＡに対する電源電圧が供給されるバス・ライン１１１、１１２のうちの１つに関する情報は、例えば、送信機１００の制御回路（図示せず）によって提供されてもよい。制御回路は更にＥＴ回路１２０を制御して、複数のＰＡ１３０−１、１３０−２、・・・、１３０−ｎのうちの１つに適した電源電圧を、少なくとも２つのバス・ライン１１１、１１２のうちの特定の１つに供給することができる。
【００２８】
図１に示すように、ＥＴ回路１２０は、例えば複数の所定の電源電圧を生成するように構成されたＤＣ−ＤＣコンバータ回路１２１を備えることができる。更に、ＥＴ回路１２０は第１選択回路（電源調整器）１２２と第２選択回路１２３とを備え、これらは、複数のＰＡ１３０−１、１３０−２、．．．、１３０−ｎのうちのペアによって同時に受信される各ＲＦ信号に関連するそれぞれのベースバンド信号の包絡線に基づいて、複数の電源電圧のうちの各自のものを（同時に）選択するように構成されている。
【００２９】
第１選択回路１２２は、第１ベースバンド信号の包絡線及び第２ベースバンド信号の包絡線のうちの一方に基づいて、複数の電源電圧のうちの１つを第１電源電圧として選択し、それを第１バス・ライン１１１に供給するように構成される。同様に、第２選択回路１２３は、第１ベースバンド信号の包絡線及び第２ベースバンド信号の包絡線のうちの他方の包絡線に基づいて、複数の電源電圧のうちの１つを第２電源電圧として選択し、それを第２バス・ライン１１２に供給するように構成されている。従って、複数のＰＡ１３０−１、１３０−２、．．．、１３０−ｎのうちの２つのＰＡに対する電源電圧が提供され得る。
【００３０】
例えば、第１選択回路１２２は、第１ベースバンド信号の包絡線に基づいて、複数の電源電圧のうちの１つを第１電源電圧として選択するように構成されていてもよい。従って、第２選択回路１２３は、第２ベースバンド信号の包絡線に基づいて、複数の電源電圧のうちの１つを第２電源電圧として選択するように構成されていてもよい。第１ＰＡ１３０−１が第１ベースバンド信号に関連する第１ＲＦ信号を受信する場合、第１ＰＡ１３０−１は、その（電源）入力１５１を第１バス・ライン１１１に選択的に結合する。第２ＰＡ１３０−２が第２ベースバンド信号に関連する第２ＲＦ信号を受信する場合、第２ＰＡ１３０−１は、その（電源）入力１６１を第２バス・ライン１１２に選択的に結合する。
【００３１】
あるいは、第１ＰＡ１３０−１が第２ＲＦ信号を受信する場合に、第１ＰＡ１３０−１は、その（電源）入力１５１を第２バス１１２に選択的に結合する。第２ＰＡ１３０−２が第１ＲＦ信号を受信する場合、第２ＰＡ１３０−１は、その（電源）入力１６１を第１バス・ライン１１１に選択的に結合する。
【００３２】
幾つかの例において、代替的に第１選択回路１２２が第２バス・ライン１１２に結合されてもよく、第２選択回路１２３が第１バス・ライン１１１に結合されてもよい。他の例において、第１及び第２選択回路１２２及び１２３は、周期的に又はイベントの発生に基づいて、第１及び第２バス・ライン１１１及び１１２の間で交互に切り替えてもよい。
【００３３】
換言すれば、ＥＴ回路１２０の第１選択回路は、増幅のために複数のＰＡ１３０−１、１３０−２、．．．、１３０−ｎのうちの第１のものによって受信される第１ＲＦ信号に関連する第１ベースバンド信号の包絡線に基づいて、複数の電源電圧のうちの第１のものを選択し、複数の電源電圧のうちの選択された第１のものを、少なくとも２つのバス・ライン１１１、１１２のうちの１つに供給するように構成されていてもよい。更に、ＥＴ回路１２０の第２選択回路は、増幅のために複数のＰＡ１３０−１、１３０−２、．．．、１３０−ｎのうちの第２のものによって受信される第２ＲＦ信号に関連する第２ベースバンド信号の包絡線に基づいて、複数の電源電圧のうちの第２のものを選択し、複数の電源電圧のうちの選択された第２のものを、少なくとも２つのバス・ライン１１１、１１２のうちの別のものに供給するように構成されていてもよい。
【００３４】
図１は、２つの供給モジュレータ１２２及び１２３からの２つの電源電圧を有するバス・システム１１０を使用して、ＰＡコア１３０−１、１３０−２、・・・、１３０−ｎのうちの任意のペアに、ＥＴ電源電圧がどのようにして供給され得るかを示す。ＰＡコア１３０−１、１３０−２、．．．、１３０−ｎのどのペアも、選択されたレールから（バス・システム１１０から）各自の電源電圧を同時に得てアクティブとなる可能性がある。２つの供給フィルタ１４１及び１４２のみを有する２つの供給モジュレータ１２２及び１２３しか必要とされないので、提案されるアーキテクチャは、小さなサイズ及び高い柔軟性を可能にし得る。
【００３５】
例えば、ＰＡ１３０−１は低周波数バンド（Ｌｏｗ  Ｂａｎｄ，ＬＢ）でＲＦ信号を増幅することが可能であり、ＰＡ１３０−５は高周波数バンド（Ｈｉｇｈ  Ｂａｎｄ，ＨＢ）でＲＦ信号を増幅することが可能である。何れのＰＡも、キャリア・アグリゲーション・シナリオで同時に動作させられることが可能である。従って、ＰＡ１３０−１は、第１供給モジュレータ１２２からの第１ＥＴベースの電源電圧を使用する可能性があり、ＰＡ１３０−５は、第２供給モジュレータ１２３からの第２ＥＴベースの電源電圧を使用する可能性がある。オフ（即ち、インアクティブ状態）であるの他の全てのＰＡコアは、バス・システム１１０に高インピーダンスを提供する可能性がある。
【００３６】
また、２つの異なるＲＡＴが組み合わせられてもよい。例えば、ＰＡ  １３０−１は、第１供給モジュレータ１２２からの第１ＥＴベースの電源電圧を使用して「ＬＴＥ  ＲＦ信号」を増幅してもよいし、ＰＡ１３０−７は、第２供給モジュレータ１２３からの第２ＥＴベースの電源電圧を使用して「５Ｇ  ＮＲ  ＲＦ信号」を増幅してもよい。
【００３７】
以上の説明では、アクティブ状態で同時に動作するＰＡの最大サポート数は２であると仮定した。従って、バス・システム１１０は２つのバス・ライン１１１、１１２を備え、ＥＴ回路１２０は２つの選択回路１２２、１２３を備える。しかしながら、上述したように、アクティブ状態で同時に動作するＰＡの最大サポート数は何個でもよい。従って、バス・システムは、例えば３つ以上のバス・ラインを備えていてもよい。
【００３８】
図２は、最大３つのＰＡの同時作動をサポートする送信機２００を示す。バス・システム２１０が、バス・システム１１０のような２つのバス・ラインではなく、３つのバス・ライン２１１、２１２、及び２１３を含む点を除いて、送信機２００は送信機１００に一致している。更に、ＥＴ回路２２０は、第１及び第２選択回路２２２及び２２３に加えて、第３選択回路２２４を備える。
【００３９】
図示の複数のＰＡ２３０−１、２３０−２、．．．、２３０−ｎは、８つのＰＡを含む。しかしながら、送信機１００と同様に、送信機２００は任意の他の複数のＰＡも含むことができる。
【００４０】
ＥＴ回路２２０は、第１電源電圧を第１バス・ライン２１１に、第２電源電圧を第２バス・ライン２１２に、第３電源電圧を第３バス・ライン２１３に同時に供給するように構成されている。
【００４１】
ＥＴ回路２２０のＤＣ−ＤＣ変換回路２２１は、複数の所定の電源電圧を生成するように構成される。ＥＴ回路２２０の第１選択回路２２２は、第１ベースバンド信号の包絡線、第２ベースバンド信号の包絡線、及び第３ベースバンド信号の包絡線のうちの１つに基づいて、複数の電源電圧のうちの１つを第１電源電圧として選択するように構成される。ＥＴ回路２２０の第２選択回路２２２は、第１ベースバンド信号の包絡線、第２ベースバンド信号の包絡線、及び第３ベースバンド信号の包絡線のうちの１つに基づいて、複数の電源電圧のうちの１つを第２電源電圧として選択するように構成される。ＥＴ回路２２０の第３選択回路２２３は、第１ベースバンド信号の包絡線、第２ベースバンド信号の包絡線、及び第３ベースバンド信号の包絡線のうちの１つに基づいて、複数の電源電圧のうちの１つを第３電源電圧として選択するように構成される。
【００４２】
複数のＰＡ２３０−１、２３０−２、．．．、２３０−ｎのうちの第１ＰＡ２３０−１が、第１ベースバンド信号に関連する増幅のための第１ＲＦ信号を受信する場合、第１ＰＡ２３０−１は、第１電源電圧が第１ベースバンド信号の包絡線に基づく場合には、その入力を第１バス・ライン２１１に選択的に結合するか、あるいは第２電源電圧が第１ベースバンド信号の包絡線に基づく場合には、その入力を第２バス・ライン２１２に選択的に結合するように構成される。
【００４３】
複数のＰＡ２３０−１、２３０−２、．．．、２３０−ｎのうちの第２ＰＡ２３０−２が、第２ベースバンド信号に関連する増幅のための第２ＲＦ信号を受信する場合、第２ＰＡ２３０−２は、第１電源電圧が第２ベースバンド信号の包絡線に基づく場合には、その入力を第１バス・ライン２１１に選択的に結合するか、あるいは第２電源電圧が第２ベースバンド信号の包絡線に基づく場合には、その入力を第２バス・ライン２１２に選択的に結合するように構成される。
【００４４】
複数のＰＡ２３０−１、２３０−２、．．．、２３０−ｎのうちの第３ＰＡ２３０−５が、第３ベースバンド信号に関連する増幅のための第３ＲＦ信号を受信する場合、第３ＰＡ２３０−５は、第１電源電圧が第３ベースバンド信号の包絡線に基づく場合には、その入力を第１バス・ライン２１１に選択的に結合するか、あるいは第２電源電圧が第３ベースバンド信号の包絡線に基づく場合には、その入力を第２バス・ライン２１２に選択的に結合するか、あるいは第３電源電圧が第３ベースバンド信号の包絡線に基づく場合には、その入力を第３バス・ラインに選択的に結合するように構成されている。
【００４５】
図２に示すように、提案されるアーキテクチャは、同時に２つより多いバンドの間でキャリア・アグリゲーションをサポートするように拡張される可能性がある。第３ＰＡ２３０−５は、複数のＰＡ２３０−１、２３０−２、．．．、２３０−ｎのうちの任意の他のペア（例えば、ＰＡ２３０−１及び２３０−２）と組み合わせることができる。
【００４６】
図２には、３つ全てのバス・ライン２１１、２１２、及び２１３への選択的な結合をサポートするために、ＰＡ２３０−５だけしか示されていないが、複数のＰＡ２３０−１、２３０−２、．．．、２３０−ｎのうちの他のＰＡもまた、少なくとも部分的に、３つ全てのバス・ライン２１１、２１２、及び２１３への選択的な結合を可能にする各自のスイッチ回路を含む可能性がある。
【００４７】
以上、ＥＴに基づいて調整された電源電圧を用いるＰＡを含む送信機が説明された。しかしながら、提案されるバス・アーキテクチャは、ＥＴ（即ち、ＥＴが、ＲＦ包絡線に比例するＰＡバイアスを調整すること）に基づいて調整されたバイアスを使用するＰＡを含む送信機にも使用される可能性がある。これは例示的に図３に示されている。図３は複数のＰＡ３３０−１、３３０−２、．．．、３３０−ｎを備える送信機３００を示す。図３には９つのＰＡが示されているが、送信機３００は任意の複数個のＰＡを含んでもよいことに留意されたい。上述のように、複数のＰＡ３３０−１、３３０−２、．．．、３３０−ｎは、バイアスを制御される。送信機１００及び２００のＰＡとは異なり、送信機３００の複数のＰＡ３３０−１、３３０−２、．．．、３３０−ｎは、電圧供給ライン３９０によって、一定の電源電圧に結合される（電源電圧は、増幅のための各自の入力ＲＦ信号の包絡線に依存しない）。
【００４８】
ここでも、送信機３００は、少なくとも第１バス・ライン３１１及び第２バス・ライン３１２、即ち少なくとも２つのバス・ラインを含むバス・システム３１０を備える。ＥＴ回路３２０は、少なくとも２つのバス・ライン３１１、３１２に結合される。第１（供給）フィルタ３４１は、ＥＴ回路３２０と第１バス・ライン３１１との間に結合され、第２（供給）フィルタ３４２は、ＥＴ回路３２０と第２バス・ライン３１２との間に結合される。即ち、それぞれのフィルタは、ＥＴ回路３２０と少なくとも２つのバス・ライン３１１、３１２の各々との間に結合される。図３には２つの供給ラインが示されているが、他の任意の複数のバス・ラインが、送信機１００及び２００に関連して上述したものと同様に使用されてよい。
【００４９】
ＥＴ回路３２０は、第１バイアス信号を第１バス・ライン３１１に供給し、第２バイアス信号を第２バス・ライン３１２に同時に供給するように構成される。バイアス信号は、例えば、複数のＰＡ３３０−１、３３０−２、．．．、３３０−ｎの各々のためにバイアス電流又はバイアス電圧を届けることができる。
【００５０】
複数のＰＡ３３０−１、３３０−２、．．．、３３０−ｎのうち第１ＰＡ３３０−１が増幅のための第１ＲＦ信号を受信する場合において、第１バイアス信号が第１ＲＦ信号に関連する第１ベースバンド信号の包絡線に基づいている場合、第１ＰＡ３３０−１は、その（バイアス）入力３５１を第１バス・ライン３１１に選択的に結合するように構成されている。第２バイアス信号が第１ベースバンド信号の包絡線に基づいている場合、第１ＰＡ１３０−１は、その入力３５１を第２バス・ライン３１２に選択的に結合するように構成されている。
【００５１】
換言すれば、複数のＰＡ３３０−１、３３０−２、．．．、３３０−ｎのうちの少なくとも第１のＰＡ３３０−１は、アクティブ状態である間、第１ベースバンド信号の包絡線に基づくものである、即ち増幅のために第１ＰＡ３３０−１によって受信されたＲＦ信号に関連するベースバンド信号の包絡線に基づくものであるバイアス信号がＥＴ回路３２０によって供給される少なくとも２つのバス・ライン３１１、３１２のうちの１つに、ＰＡの（バイアス）入力３５１を選択的に結合するように構成されている。
【００５２】
複数のＰＡのうちの第２ＰＡ３３０−２が増幅のために第２ＲＦ信号を受信する場合において、第１バイアス信号が第２ＲＦ信号に関連する第２ベースバンド信号の包絡線に基づいている場合、第２ＰＡ３３０−２は、その（バイアス）入力３６１を第１バス・ライン３１１に選択的に結合するように構成されている。第２バイアス信号が第２ベースバンド信号の包絡線に基づいている場合、第２ＰＡ３３０−２は、その入力３６１を第２バス・ライン３１２に選択的に結合するように構成されている。
【００５３】
同様に、複数のＰＡ３３０−１、３３０−２、．．．、３３０−ｎのうちの別の１つが増幅のために各自のＲＦ信号を受信した場合において、第１バイアス信号が、ＰＡによって受信された各自のＲＦ信号に関連するベースバンド信号の包絡線に基づいている場合、その別のＰＡは、その入力（バイアス）を第１バス・ライン３１１に選択的に結合するように構成されている。第２バイアス信号がこのベースバンド信号の包絡線に基づいている場合、その別のＰＡは、その入力を第２バス・ライン３１２に選択的に結合するように構成されている。
【００５４】
換言すれば、複数のＰＡ３３０−１、３３０−２、．．．、３３０−ｎの各々は、アクティブ状態にある間に、増幅のために複数のＰＡ３３０−１、３３０−２、．．．、３３０−ｎのそれぞれによって受信されたＲＦ信号に関連するベースバンド信号の包絡線に基づくバイアス信号がＥＴ回路３２０によって供給される少なくとも２つのバス・ライン３１１、３１２のうちの１つに、その（バイアス）を結合するように構成されてもよい。
【００５５】
従って、複数のＰＡ３３０−１、３３０−２、．．．、３３０−ｎのうちの個々のＰＡは、柔軟な方法でバス・システム３１０に選択的に接続されることが可能である。従って、複数のＰＡ３３０−１、３３０−２、．．．、３３０−ｎのうちの複数のペアは、アクティブ状態で同時に作動させられる可能性があり、増幅のための各自のＲＦ信号の包絡線に基づく各自のバイアス信号を提供されることが可能である。
【００５６】
図３に示すように、ＥＴ回路３２０は、例えば、複数のＰＡ３３０−１、３３０−２、・・・、３３０−ｎのうちのペアによって同時に受信された各自のＲＦ信号に関連する各自のベースバンド信号の包絡線に基づいて各自のバイアス信号を（同時に）生成するように構成された第１デジタル・アナログ変換器（ＤＡＣ）３２１と第２ＤＡＣ３２２とを含んでもよい。
【００５７】
第１ＤＡＣ３２１は、第１ベースバンド信号の包絡線、及び第２ベースバンド信号の包絡線のうちの一方に基づいて第１バイアス信号を生成し、それを第１バス・ライン３１１に供給するように構成される。同様に、ＥＴ回路３２０は、第１ベースバンド信号の包絡線、及び第２ベースバンド信号の包絡線のうちの他方の包絡線に基づいて第２バイアス信号を生成し、それを第２バス・ライン３１２に供給するように構成された第２ＤＡＣ３２２を含んでもよい。従って、複数のＰＡ３３０−１、３３０−２、．．．、３３０−ｎのうちの２つのＰＡに対するバイアス信号が提供される可能性がある。
【００５８】
例えば、第１ＤＡＣ３２１は、第１ベースバンド信号の包絡線に基づいて第１バイアス信号を生成するように構成される可能性がある。従って、第２ＤＡＣ  ３２２は、第２のベースバンド信号の包絡線に基づいて第２バイアス信号を生成するように構成される。第１ＰＡ３３０−１が、第１ベースバンド信号に関連する第１ＲＦ信号を受信した場合、第１ＰＡ３３０−１は、その入力（バイアス）を第１バス・ライン３１１に選択的に結合する。第２ＰＡ３３０−２が第２ベースバンド信号に関連する第２ＲＦ信号を受信した場合、第２のＰＡ３３０−１は、その入力（バイアス）を第２バス・ライン３１２に選択的に結合する。
【００５９】
あるいは、第１ＰＡ３３０−１が第２ＲＦ信号を受信した場合、第１ＰＡ３３０−１は、その入力（バイアス）を第２バス３１２に選択的に結合する。第２ＰＡ  ３３０−２が第１ＲＦ信号を受信した場合、第２ＰＡ３３０−１は、その入力（バイアス）を第１バス・ライン３１１に選択的に結合する。
【００６０】
幾つかの例において、第１ＤＡＣ３２１は代替的に第２バス・ライン１１２に結合されてもよく、第２ＤＡＣ３２２は第１バス・ライン１１１に結合されてもよい。
【００６１】
換言すれば、ＥＴ回路３２０の第１ＤＡＣは、増幅のために複数のＰＡ３３０−１、３３０−２、．．．、３３０−ｎのうちの第１のものによって受信された第１ＲＦ信号に関連する第１ベースバンド信号の包絡線に基づいて第１バイアス信号を生成し、第１バイアス信号を、少なくとも２つのバス・ライン３１１、３１２のうちの１つに供給するように構成される可能性がある。ＥＴ回路３２０の第２ＤＡＣは、増幅のために複数のＰＡ３３０−１、３３０−２、．．．、３３０−ｎのうちの第２のものによって受信された第２ＲＦ信号に関連する第２ベースバンド信号の包絡線に基づいて第２バイアス信号を生成し、第２バイアス信号を、少なくとも２つのバス・ライン３１１、３１２のうちの別のものに供給するように構成される可能性がある。
【００６２】
送信機１００及び２００に関連して上述したバス・ラインへの個々のＰＡの結合／バス・ラインからの個々のＰＡの分離、バス・ラインの数などに関する更なる態様は、（電源電圧の代わりにバイアス信号がＥＴ回路によって供給されることを考慮して）相応して送信機３００に適用される。従ってここでは冗長な繰り返しを回避するために送信機１００及び２００の上述の説明を参照されたい。
【００６３】
提案される技術の１つ以上の態様又は上述の１つ以上の実施例による信号配分を利用する実装の例が図４に示されている。図４は、本明細書に記載される実施例によるＲＦ信号生成のための少なくとも１つの送信機４１０を備えるモバイル・デバイス４００（例えば、移動電話、スマートフォン、タブレット・コンピュータ、又はラップトップ）の一例を概略的に示す。例えば送信機４１０はＲＦトランシーバ（図示せず）の一部であってもよい。送信機４１０は、ＲＦ信号を環境に放射するために少なくとも１つのアンテナ素子４２０に結合される。
【００６４】
モバイル・デバイス４００は、例えば、アプリケーション・プロセッサ、ベースバンド・プロセッサ、メモリ、オーディオ・ドライバ、カメラ・ドライバ、タッチスクリーン、ディスプレイ・ドライバ、センサ、取り外し可能メモリ、電力管理集積回路、又はスマート・バッテリなどのような更なる要素を含む可能性がある。
【００６５】
このため、電力効率の良いＥＴモードで動作する、益々多くのキャリア・アグリゲーション・バンドを可能にするモバイル・デバイスが提供される可能性がある。
【００６６】
送信機を作動させるための方法５００の一例が図５のフローチャートによって示されている。送信機は、少なくとも２つのバス・ラインと、少なくとも２つのバス・ラインに結合されたＥＴ回路と、複数のＰＡとを含むバス・システムを備える。方法５００は、複数のＰＡのうちの少なくとも第１のものに対して、増幅のために複数のＰＡのうちの第１のものによって受信された第１ＲＦ信号に関連する第１ベースバンド信号の包絡線に基づく電源電圧又はバイアス信号がＥＴ回路によって供給される少なくとも２つのバス・ラインのうちの１つに、その入力５０２をアクティブ状態で選択的に結合することを含む（５０２）。
【００６７】
本方法の更なる詳細及び態様は、提案される技術又は上記の１つ以上の実施例（例えば、図１〜４）に関連して言及されている。本方法は、提案された技術の１つ以上の態様、又は上記の１つ以上の実施例に対応する１つ以上の追加のオプション的な特徴を含む可能性がある。
【００６８】
送信機を作動させるための別の方法６００の例が図６のフローチャートによって示されている。送信機は、ＥＴ回路と、複数のＰＡと、少なくとも第１バス・ライン及び第２バス・ラインを含むバス・システムとを備える。方法６００は、包絡線追跡回路を使用して、第１電源電圧及び第１バイアス信号のうちの１つを第１バス・ラインに、第２電源電圧及び第２バイアス信号のうちの１つを第２バス・ラインに同時に供給することを含む（６０２）。複数のＰＡのうちの第１ＰＡが増幅のために第１ＲＦ信号を受信する場合、方法６００は、第１電源電圧及び第１バイアス信号のうちの１つが、第１ＲＦ信号に関連する第１ベースバンド信号の包絡線に基づいている場合に、第１ＰＡの入力を第１バス・ラインに選択的に結合することを更に含む（６０４）。第２電源電圧及び第２バイアス信号のうちの１つが第１ベースバンド信号の包絡線に基づいている場合に、方法６００は、第１ＰＡの入力を第２バス・ラインに選択的に結合することを含む（６０６）。
【００６９】
本方法の更なる詳細及び態様は、提案される技術又は上記の１つ以上の実施例（例えば、図１〜４）に関連して言及されている。本方法は、提案された技術の１つ以上の態様、又は上記の１つ以上の実施例に対応する１つ以上の追加のオプション的な特徴を含む可能性がある。
【００７０】
上記の記述から、提案されるアーキテクチャは、最適化されたソリューション・サイズ及び柔軟性とともに、周波数バンドの限定されないペアのためのＥＴ技術をサポートする可能性があることは明らかである。それは３、４又はＮ個のバンドが同時に動作することをサポートする可能性がある。更に、ＥＴとのデュアル接続性（即ち、異なるバンドでの２つの異なるＲＡＴの動作）をサポートする可能性がある。
本明細書で説明される具体例は次のように要約することが可能である：
【００７１】
具体例１は送信機であり、送信機は：少なくとも２つのバス・ラインを備えるバス・システム；前記少なくとも２つのバス・ラインに結合される包絡線追跡回路；及び複数の電力増幅器；を備え、前記複数の電力増幅器のうちの少なくとも第１のものは、アクティブ状態にある間に、前記複数の電力増幅器のうちの前記第１のものにより受信された第１無線周波数信号に関連する第１ベースバンド信号の包絡線に基づくものである電源電圧又はバイアス信号が前記包絡線追跡回路により供給される前記少なくとも２つのバス・ラインのうちの１つに、入力を選択的に結合するように構成されている。
【００７２】
具体例２は具体例１の送信機であって、次の特徴を含む：前記複数の電力増幅器のうちの前記第１のものは、前記複数の電力増幅器のうちの前記第１のものがインアクティブ状態にある場合に、前記少なくとも２つのバス・ラインから入力を分離するように構成されている。
【００７３】
具体例３は具体例２の送信機であって、次の特徴を含む：前記複数の電力増幅器のうちの前記第１のものはスイッチ回路を備え、前記スイッチ回路は、前記複数の電力増幅器のうちの前記第１のものが前記アクティブ状態にある場合には、前記少なくとも２つのバス・ラインのうちの１つに前記入力を結合し、前記複数の電力増幅器のうちの前記第１のものが前記インアクティブ状態にある場合には、前記少なくとも２つのバス・ラインのうちの１つに、前記複数の電力増幅器のうちの前記第１のものの高インピーダンス端子を結合するように構成されている。
【００７４】
具体例４は具体例３の送信機であって、次の特徴を含む：前記スイッチ回路は、前記少なくとも２つのバス・ラインのうちの１つに関する情報を受信するように構成されている。
【００７５】
具体例５は具体例１〜４のうちの何れかの送信機であって、次の特徴を含む：前記包絡線追跡回路と前記少なくとも２つのバス・ラインの各々との間にフィルタが結合されている。
【００７６】
具体例６は具体例１〜５のうちの何れかの送信機であって、次の特徴を含む：前記包絡線追跡回路は、複数の所定の電源電圧を生成するように構成されたＤＣ−ＤＣ変換回路；前記第１ベースバンド信号の包絡線に基づいて、前記複数の電源電圧のうちの第１のものを選択し、前記複数の電源電圧のうちの選択された前記第１のものを、前記少なくとも２つのバス・ラインのうちの１つに供給するように構成された第１選択回路；及び増幅のために前記複数の電力増幅器のうちの第２のものにより受信された第２無線周波数信号に関連する第２ベースバンド信号の包絡線に基づいて、前記複数の電源電圧のうちの第２のものを選択し、前記複数の電源電圧のうちの選択された前記第２のものを、前記少なくとも２つのバス・ラインのうちの他のものに供給するように構成された第２選択回路を備える。
【００７７】
具体例７は具体例１〜５のうちの何れかの送信機であって、次の特徴を含む：前記包絡線追跡回路は、前記第１ベースバンド信号の包絡線に基づいて第１バイアス信号を生成し、前記第１バイアス信号を、前記少なくとも２つのバス・ラインのうちの１つに供給するように構成された第１デジタル・アナログ変換器；及び増幅のために前記複数の電力増幅器のうちの第２のものにより受信された第２無線周波数信号に関連する第２ベースバンド信号の包絡線に基づいて、第２バイアス信号を生成し、前記第２バイアス信号を、前記少なくとも２つのバス・ラインのうちの別のものに供給するように構成された第２デジタル・アナログ変換器を備える。
【００７８】
具体例８は具体例１〜７のうちの何れかの送信機であって、次の特徴を含む：前記複数の電力増幅器のうちの少なくとも２つの電力増幅器は、同時にアクティブ状態にある。
【００７９】
具体例９は具体例１〜８のうちの何れかの送信機であって、次の特徴を含む：前記バス・システムは３つ以上のバス・ラインを含む。
【００８０】
具体例１０は具体例１〜９のうちの何れかの送信機であって、次の特徴を含む：バス・ラインの数は、前記複数の電力増幅器の数より少ない。
【００８１】
具体例１１は具体例１〜１０のうちの何れかの送信機であって、次の特徴を含む：バス・ラインの数は、アクティブ状態で同時に動作する電力増幅器の最大サポート数に等しい。
【００８２】
具体例１２は送信機であり、送信機は：少なくとも第１バス・ラインと第２バス・ラインとを備えるバス・システム；第１電源電圧及び第１バイアス信号のうちの１つを前記第１バス・ラインに、第２電源電圧及び第２バイアス信号のうちの１つを前記第２バス・ラインに同時に供給するように構成された包絡線追跡回路；及び複数の電力増幅器を備え、前記複数の電力増幅器のうちの第１電力増幅器が、増幅のための第１無線周波数信号を受信した場合に、前記第１電力増幅器は：前記第１電源電圧及び前記第１バイアス信号のうちの１つが、前記第１無線周波数信号に関連する第１ベースバンド信号の包絡線に基づいている場合に、入力を前記第１バス・ラインに選択的に結合し；及び前記第２電源電圧及び前記第２バイアス信号のうちの１つが、前記第１ベースバンド信号の包絡線に基づいている場合に、入力を前記第２バス・ラインに選択的に結合するように構成されている。
【００８３】
具体例１３は具体例１２の送信機であって、次の特徴を含む：前記複数の電力増幅器のうちの第２電力増幅器が、増幅のための第２無線周波数信号を受信した場合に、前記第２電力増幅器は：前記第１電源電圧及び前記第１バイアス信号のうちの１つが、前記第２無線周波数信号に関連する第２ベースバンド信号の包絡線に基づいている場合に、入力を前記第１バス・ラインに選択的に結合し；及び前記第２電源電圧及び前記第２バイアス信号のうちの１つが、前記第２ベースバンド信号の包絡線に基づいている場合に、入力を前記第２バス・ラインに選択的に結合するように構成されている。
【００８４】
具体例１４は具体例１３の送信機であって、次の特徴を含む：前記包絡線追跡回路は、複数の所定の電源電圧を生成するように構成されたＤＣ−ＤＣ変換回路；前記第１ベースバンド信号の包絡線、及び前記第２ベースバンド信号の包絡線のうちの一方に基づいて、前記複数の電源電圧のうちの１つを第１電源電圧として選択するように構成された第１選択回路；及び前記第１ベースバンド信号の包絡線、及び前記第２ベースバンド信号の包絡線のうちの他方に基づいて、前記複数の電源電圧のうちの１つを第２電源電圧として選択するように構成された第２選択回路を備える。
【００８５】
具体例１５は具体例１３の送信機であって、次の特徴を含む：前記包絡線追跡回路は、前記第１ベースバンド信号の包絡線、及び前記第２ベースバンド信号の包絡線のうちの一方に基づいて第１バイアス信号を生成するように構成された第１デジタル・アナログ変換器；及び前記第１ベースバンド信号の包絡線、及び前記第２ベースバンド信号の包絡線のうちの他方に基づいて第２バイアス信号を生成するように構成された第２デジタル・アナログ変換器を備える。
【００８６】
具体例１６は具体例１３〜１５のうちの何れかの送信機であって、次の特徴を含む：前記第１電力増幅器及び前記第２電力増幅器はそれぞれ前記第１無線周波数信号及び前記第２無線周波数信号を同時に受信するように構成されている。
【００８７】
具体例１７は具体例１２〜１６のうちの何れかの送信機であって、次の特徴を含む：前記第１電力増幅器が前記第１無線周波数信号を受信しない場合に、前記第１電力増幅器はその入力を前記バス・ラインから分離するように構成されている。
【００８８】
具体例１８は具体例１２〜１７のうちの何れかの送信機であって、次の特徴を含む：前記第１電力増幅器が前記第１無線周波数信号を受信しない場合に、前記第１電力増幅器は、高インピーダンス端子を前記バス・ラインのうちの１つに結合するように構成されている。
【００８９】
具体例１９は具体例１２〜１８のうちの何れかの送信機であって、次の特徴を含む：前記包絡線追跡回路と前記第１バス・ラインとの間に第１フィルタが結合され、前記包絡線追跡回路と前記第２バス・ラインとの間に第２フィルタが結合されている。
【００９０】
具体例２０は具体例１２〜１９のうちの何れかの送信機であって、次の特徴を含む：前記バス・システムは第３バス・ラインを備え、前記包絡線追跡回路は、第３電源電圧及び第３バイアス信号のうちの１つを前記第３バス・ラインに同時に供給するように構成され、前記複数の電力増幅器のうちの第３電力増幅器が、増幅のための第３無線周波数信号を受信した場合に、前記第３電力増幅器は：前記第１電源電圧及び前記第１バイアス信号のうちの１つが、前記第３無線周波数信号に関連する第３ベースバンド信号の包絡線に基づいている場合に、入力を前記第１バス・ラインに選択的に結合し；前記第２電源電圧及び前記第２バイアス信号のうちの１つが、前記第３ベースバンド信号の包絡線に基づいている場合に、入力を前記第２バス・ラインに選択的に結合し；及び前記第３電源電圧及び前記第３バイアス信号のうちの１つが、前記第３ベースバンド信号の包絡線に基づいている場合に、入力を前記第３バス・ラインに選択的に結合するように構成されている。
【００９１】
具体例２１は具体例１〜２０のうちの何れかによる送信機を含むモバイル・デバイスである。
【００９２】
具体例２２は具体例２１のモバイル・デバイスであり、送信機に結合される少なくとも１つのアンテナ素子を更に含んでいる。
【００９３】
具体例２３は送信機の作動方法であり、前記送信機は、少なくとも２つのバス・ラインを備えるバス・システムと、前記少なくとも２つのバス・ラインに結合される包絡線追跡回路と、複数の電力増幅器とを備え、前記作動方法は：前記複数の電力増幅器のうちの少なくとも第１のものに関し、アクティブ状態において、増幅のために前記複数の電力増幅器のうちの前記第１のものにより受信された第１無線周波数信号に関連する第１ベースバンド信号の包絡線に基づくものである電源電圧又はバイアス信号が前記包絡線追跡回路により供給される前記少なくとも２つのバス・ラインのうちの１つに、入力を選択的に結合するステップを含む。
【００９４】
具体例２４は具体例２３の方法であり、前記複数の電力増幅器のうちの第１のものがインアクティブ状態にある場合に、前記少なくとも２つのバス・ラインから入力を分離するステップを更に含む。
【００９５】
具体例２５は方法の具体例２３又は具体例２４であり、前記複数の電力増幅器のうちの第１のものがインアクティブ状態にある場合に、前記複数の電力増幅器のうちの第１のものの高インピーダンス端子を、前記少なくとも２つのバス・ラインのうちの１つに結合するステップを更に含む。
【００９６】
具体例２６は具体例２３〜２５のうちの何れかの方法であって：複数の所定の電源電圧を、包絡線追跡回路により生成するステップ；第１ベースバンド信号の包絡線に基づいて、複数の電源電圧のうちの第１のものを、包絡線追跡回路により選択するステップ；複数の電源電圧のうちの選択された第１のものを、少なくとも２つのバス・ラインのうちの一方に、包絡線追跡回路により供給するステップ；増幅のために複数の電力増幅器のうちの少なくとも第２のものにより受信された第２無線周波数信号に関連する第２ベースバンド信号の包絡線に基づいて複数の電源電圧のうちの第２のものを、包絡線追跡回路により選択するステップ；及び複数の電力増幅器のうちの選択された第２のものを、少なくとも２つのバス・ラインのうちの他方に、包絡線追跡回路により供給するステップを更に含む。
【００９７】
具体例２７は具体例２３〜２５のうちの何れかの方法であって：第１ベースバンド信号の包絡線に基づいて、第１バイアス信号を生成するステップ；選択した第１バイアス信号を、少なくとも２つのバス・ラインのうちの１つに供給するステップ；増幅のために複数の電力増幅器のうちの少なくとも第２のものにより受信された第２無線周波数信号に関連する第２ベースバンド信号の包絡線に基づいて第２バイアス信号を生成するステップ；及び第２バイアス信号を、少なくとも２つのバス・ラインのうちの他方に供給するステップを更に含む。
【００９８】
具体例２８は具体例２３〜２７のうちの何れかの方法であって、次の特徴を含む：包絡線追跡回路と少なくとも２つのバス・ラインの各々との間に各自のフィルタが結合されている。
【００９９】
具体例２９は具体例２３〜２８のうちの何れかの方法であって、次の特徴を含む：複数の電力増幅器のうちの少なくとも２つの電力増幅器は同時にアクティブ状態にある。
【０１００】
具体例３０は具体例２３〜２９のうちの何れかの方法であって、次の特徴を含む：バス・システムは３つ以上のバス・ラインを含む。
【０１０１】
具体例３１は具体例２３〜３０のうちの何れかの方法であって、次の特徴を含む：バス・ラインの数は複数の電力増幅器の数より少ない。
【０１０２】
具体例３２は具体例２３〜３１のうちの何れかの方法であって、次の特徴を含む：バス・ラインの数は、アクティブ状態で同時に作動する電力増幅器の最大サポート数に等しい。
【０１０３】
具体例３３は送信機の作動方法であり、前記送信機は、包絡線追跡回路と、複数の電力増幅器と、少なくとも第１バス・ラインと第２バス・ラインとを含むバス・システムとを備え、前記作動方法は：前記包絡線追跡回路を利用して、第１電源電圧及び第１バイアス信号のうちの１つを前記第１バス・ラインに、第２電源電圧及び第２バイアス信号のうちの１つを前記第２バス・ラインに同時に供給するステップ；前記複数の電力増幅器のうちの第１電力増幅器が、増幅のための第１無線周波数信号を受信した場合に：前記第１電源電圧及び前記第１バイアス信号のうちの１つが、前記第１無線周波数信号に関連する第１ベースバンド信号の包絡線に基づいている場合に、前記第１電力増幅器の入力を前記第１バス・ラインに選択的に結合し；及び前記第２電源電圧及び前記第２バイアス信号のうちの１つが、前記第１ベースバンド信号の包絡線に基づいている場合に、前記第１電力増幅器の入力を前記第２バス・ラインに選択的に結合するステップを含む。
【０１０４】
具体例３４は具体例３３の方法であって、次の特徴を含む：前記複数の電力増幅器のうちの第２電力増幅器が、増幅のための第２無線周波数信号を受信した場合に、本方法は：前記第１電源電圧及び前記第１バイアス信号のうちの１つが、前記第２無線周波数信号に関連する第２ベースバンド信号の包絡線に基づいている場合に、前記第２電力増幅器の入力を前記第１バス・ラインに選択的に結合するステップ；及び前記第２電源電圧及び前記第２バイアス信号のうちの１つが、前記第２ベースバンド信号の包絡線に基づいている場合に、前記第２電力増幅器の入力を前記第２バス・ラインに選択的に結合するステップを更に含む。
【０１０５】
具体例３５は具体例３３又は具体例３４の方法であって、次の特徴を含む：第１電力増幅器及び第２電力増幅器はそれぞれ前記第１無線周波数信号及び第２無線周波数信号を同時に受信する。
【０１０６】
具体例３６は具体例３３〜３５のうちの何れかの方法であって、次の特徴を含む：第１電力増幅器が第１無線周波数信号を受信しない場合に、本方法は、第１電力増幅器の入力を少なくとも２つのバス・ラインから切り離すステップを更に含む。
【０１０７】
具体例３７は具体例３３〜３６のうちの何れかの方法であって、次の特徴を含む：第１電力増幅器が第１無線周波数信号を受信しない場合に、本方法は、第１電力増幅器の高インピーダンス端子を、少なくとも２つのバス・ラインのうちの１つに結合するステップを更に含む。
【０１０８】
具体例３８は具体例３３〜３７のうちの何れかの方法であって、次の特徴を含む：第１フィルタが包絡線追跡回路と第１バス・ラインとの間に結合され、第２フィルタが包絡線追跡回路と第２バス・ラインとの間に結合される。
【０１０９】
具体例３９は具体例３３〜３８のうちの何れかの方法であって、次の特徴を含む：バス・システムは第３バス・ラインを含み、本方法は、第３電源電圧及び第３バイアス信号のうちの一方を第３のバス・ラインに同時に供給するステップ；及び複数の電力増幅器の第３電力増幅器が増幅のための第３無線周波数信号を受信した場合において、第１電源電圧及び第１バイアス信号のうちの一方が第３無線周波数信号に関連する第３ベースバンド信号の包絡線に基づいている場合に、第３電力増幅器の入力を第１バス・ラインに選択的に結合し、第２電源電圧及び第２バイアス信号のうちの一方が第３ベースバンド信号の包絡線に基づいている場合に、第３電力増幅器の入力を第２バス・ラインに選択的に結合し、第３電源電圧及び第３バイアス信号のうちの一方が第３ベースバンド信号の包絡線に基づいている場合に、第３電力増幅器の入力を第３バス・ラインに選択的に結合するステップを更に含む。
【０１１０】
上述した詳細な実施例及び図面の１つ以上と共に言及及び説明された態様及び特徴は、他の実施例の同様の特徴と置き換えるために、又は特徴を他の実施例に追加的に導入するために、１つ以上の他の実施例と組み合わせられる可能性がある。
【０１１１】
明細書及び図面は、本開示の原理を単に示しているに過ぎない。更に、本明細書に記載されている全ての実施例は、本開示の原理及び発明者が技術進歩に貢献した概念を読者が理解することを支援するための教育的な目的のみのために原則として明示的に意図されている。本明細書において、開示の原理、態様、及び実施例、並びにそれらの特定の実施例を記述する全ての記載は、それらの均等物を包含するように意図されている。
【０１１２】
ブロック図は、例えば、本開示の原理を実装する上位レベル回路図を図示する可能性がある。同様に、フローチャート、流れ図、状態遷移図、疑似コードなどは、種々のプロセス、オペレーション又はステップを表すことができ、これらは、例えば、コンピュータ又はプロセッサが明示的に示されているか否かにかかわらず、コンピュータ読み取り可能な媒体において実質的に表現され、コンピュータ又はプロセッサによって実行される可能性がある。明細書又は特許請求の範囲に開示されている方法は、これらの方法の各自の動作の各々を実行するための手段を有する装置によって実現される可能性がある。
【０１１３】
明細書又は特許請求の範囲に開示された複数の動作、方法、オペレーション、ステップ又は機能の開示は、例えば、技術的な理由のために明示的又は暗示的に別段の言及がない限り、特定の順序の中に収まるべきであると解釈されてはならないことが理解されるべきである。従って、複数の動作又は機能の開示は、そのような動作又は機能が技術的な理由により互換性がない場合を除き、特定の順序に限定されるものではない。更に、幾つかの例では、単一の動作、機能、プロセス、オペレーション又はステップはそれぞれ複数のサブ動作、サブ機能、サブ・プロセス、サブ・オペレーション、又はサブ・ステップを含んでもよいし、あるいはそれらに分割されてもよい。明示的に除外されない限り、このようなサブ動作は、この単独の動作の開示の一部に包含される可能性がある。
【０１１４】
更に、以下の特許請求の範囲は詳細な説明に組み込まれており、ここで各請求項は別個の実施例としてそれ自体成立する可能性がある。各請求項は個々の実施例としてそれ自体成立し得るが、次のことに留意すべきである：特許請求の範囲において従属請求項は１つ以上の他の請求項との具体的な組み合わせを指す可能性があるが、他の実施例はまた、従属請求項と他の従属又は独立請求項各々の対象事項との組み合わせを包含する可能性がある。このような組み合わせは、特定の組み合わせが意図されていないと言及されていない限り、本明細書において明示的に提案される。更に、この請求項が独立請求項に直接的に従属していなかったとしても、他の任意の独立請求項に対する請求項の特徴も含むことが意図されている。
【図１】
2021525461.tif 000003
【図２】
2021525461.tif 000004
【図３】
2021525461.tif 000005
【図４】
2021525461.tif 000006
【図５】
2021525461.tif 000007
【図６】
2021525461.tif 000008
【国際調査報告】
2021525461.tif 000009
2021525461.tif 000010
2021525461.tif 000011
2021525461.tif 000012
2021525461.tif 000013
2021525461.tif 000014